(57)【要約】【課題】  ＣＲＴ側壁面への電熱線の密着性を確実かつ均等化できるとともにＣＲＴの側壁面をムラなく効率的に加熱する。【解決手段】  保持体１３ａと１３ｂ同士及び保持体１３ｃと１３ｄ同士をそれぞれの駆動機構１５及び１６により互いに接近する方向に移動させて、各電熱線１２ａ〜１２ｄを対応するパネル部８１の側壁８１ｂに接触させる。この状態で、電熱線１２ａ〜１２ｄへの加熱通電時に電磁石１４ａ〜１４ｄにより、各電熱線１２ａ〜１２ｄを対応するパネル部８１の側壁８１ｂに密着させる構成にした。【選択図】        図２
2005183111.tif 000002
【特許請求の範囲】
【請求項１】
矩形状の平板部と該平板部の４つの辺から起立する側壁とを有するパネル部と該パネル部に前記側壁を介して接合されたファンネル部とからなるＣＲＴにおいて前記パネル部とファンネル部とを前記側壁個所で分割するＣＲＴの分割装置であって、
前記ＣＲＴを支持する支持架台と、
前記平板部の辺と平行する方向に延在し前記側壁と相対向するように配置される電熱線と、
前記電熱線に給電して加熱する加熱用電源と、
前記平行する方向に前記電熱線が緊張されるように前記電熱線の両端を保持する保持体と、
前記電熱線が前記側壁に対して離間及び接触する方向に前記保持体を移動する駆動手段と、
前記電熱線と相対向するようにして前記保持体に設けられ前記電熱線への給電時に該電熱線を前記側壁に密着させる方向に力を付与する磁界発生手段と、
を備えることを特徴とするＣＲＴ分割装置。
【請求項２】
前記電熱線及び前記磁界発生手段とこれらを保持する保持体は、前記平板部の相対向する一方の各辺の側壁に対向して一対設けられていることを特徴とする請求項１記載のＣＲＴ分割装置。
【請求項３】
前記電熱線及び前記磁界発生手段とこれらを保持する保持体は、前記平板部の各辺の側壁に対向して４つ設けられていることを特徴とする請求項１記載のＣＲＴ分割装置。
【請求項４】
前記電熱線の両端と前記保持体との間にはそれぞれ弾性部材が介在しており、前記弾性部材の弾性力により前記電熱線の緊張状態が作られていることを特徴とする請求項１記載のＣＲＴ分割装置。
【請求項５】
前記磁界発生手段は電磁石もしくは永久磁石から構成されていることを特徴とする請求項１記載のＣＲＴ分割装置。
【請求項６】
矩形状の平板部と該平板部の４つの辺から起立する側壁とを有するパネル部と該パネル部に前記側壁を介して接合されたファンネル部とからなるＣＲＴにおいて前記パネル部とファンネル部とを前記側壁個所で分割するＣＲＴの分割装置であって、
前記ＣＲＴを支持する支持架台と、
前記パネル部の側壁外周に、該側壁外周から巻き外し可能に巻回される電熱線と、
前記電熱線に給電して加熱する加熱用電源と、
前記パネル部の側壁外周に巻き付けられた前記電熱線の前記側壁の各辺に対向する部位を前記電熱線への給電時に前記側壁に密着させる方向に力を付与する磁界発生手段と、
を備えることを特徴とするＣＲＴ分割装置。
【請求項７】
前記磁界発生手段は電磁石もしくは永久磁石から構成されていることを特徴とする請求項６記載のＣＲＴ分割装置。
【発明の詳細な説明】
【技術分野】
【０００１】
本発明は、使用済みのＣＲＴ（陰極線管）をリサイクルする時にパネル部とファンネル部とに分割するためのＣＲＴ分割装置に関するものである。
【背景技術】
【０００２】
近年、資源のリサイクルや環境破壊の防止がクローズアップされ、これに伴い、使用済みテレビジョン受像機や使用済みコンピュータディスプレイ装置のＣＲＴの廃棄処理が問題となり、同時に、これら使用済み製品を構成する材料のリサイクルまたは部品の再利用が大きな課題となっている。
使用済みテレビジョン受像機やコンピュータディスプレイのＣＲＴは、パネル部とファンネル部とが接合されたガラス構造体からなり、このうち、パネル部はほぼ透明なガラス材から成形され、ファンネル部はＸ線の漏洩を防止するために鉛を混入したガラス材から成形されている。
【０００３】
このようなＣＲＴのガラス材を有効に利用し、かつ再度のＣＲＴ成形のためのガラス原料として用いるに際しては、パネル部として再利用するガラス材にファンネル部のガラス材が混入するのを防ぐ必要がある。
このため、従来のＣＲＴ分割装置においては、ＣＲＴをそのパネル部を上に向けた状態で支持部上に水平に配置し、このＣＲＴの４つの側面部分の各辺には電熱線を、パネル部とファンネル部との接合部分、すなわちフリット（低融点半田ガラス）部分より僅かにパネル部へ偏らせてＣＲＴの側壁面に沿い水平に配置するとともに、この各電熱線を対応するＣＲＴの側壁面に接触させ、この状態で、各電熱線に通電することにより、これら電熱線が接するＣＲＴの側壁を加熱して熱歪みを発生させ、この熱歪みによる応力で生じるクラックでパネル部とファンネル部を分離するようにしている（例えば、特許文献１）。
【特許文献１】特開２００１−２２２９５５号公報
【発明の開示】
【発明が解決しようとする課題】
【０００４】
このような従来のＣＲＴ分割装置では、各電熱線がＣＲＴの側壁面に密着できるように電熱線の両端にバネ部材を連接して電熱線を長手方向に引っ張るようにしている。しかし、最近のフラット画面型のＣＲＴにおいては、電熱線が接触するＣＲＴの側壁面が平面形状を呈しているため、両端をバネで引っ張った状態の電熱線をＣＲＴの側壁に押し付けるようにしても、ＣＲＴ側壁面の中央部分を中心に電熱線の密接できない箇所が発生し、これにより、ＣＲＴの側周囲に加熱ムラが生じる。その結果、ＣＲＴ側壁の熱歪みによって生じるクラックが希望する以外のフリット（低融点半田ガラス）部分及びファンネル部にも入ってしまい、正確な切断ができなくなるほか、パネル側に鉛を含むファンネルガラスが混入されおそれがあり、これを取り除く必要がある。しかも、電熱線がＣＲＴ側壁の中央部分に密着できないことから、ＣＲＴの加熱に時間がかかりコスト高になるという問題があった。
【０００５】
本発明は、上記のような問題を解決するためになされたもので、ＣＲＴ側壁面への電熱線の密着性を確実かつ均等化できるとともにＣＲＴの側壁面をムラなく効率的に加熱できるようにしたＣＲＴ分割装置を提供することを目的とする。
【課題を解決するための手段】
【０００６】
上記目的を達成するために本発明は、矩形状の平板部と該平板部の４つの辺から起立する側壁とを有するパネル部と該パネル部に前記側壁を介して接合されたファンネル部とからなるＣＲＴにおいて前記パネル部とファンネル部とを前記側壁個所で分割するＣＲＴの分割装置であって、前記ＣＲＴを支持する支持架台と、前記平板部の辺と平行する方向に延在し前記側壁と相対向するように配置される電熱線と、前記電熱線に給電して加熱する加熱用電源と、前記平行する方向に前記電熱線が緊張されるように前記電熱線の両端を保持する保持体と、前記電熱線が前記側壁に対して離間及び接触する方向に前記保持体を移動する駆動手段と、前記電熱線と相対向するようにして前記保持体に設けられ前記電熱線への給電時に該電熱線を前記側壁に密着させる方向に力を付与する磁界発生手段とを備えることを特徴とする。
【０００７】
また、本発明は、矩形状の平板部と該平板部の４つの辺から起立する側壁とを有するパネル部と該パネル部に前記側壁を介して接合されたファンネル部とからなるＣＲＴにおいて前記パネル部とファンネル部とを前記側壁個所で分割するＣＲＴの分割装置であって、前記ＣＲＴを支持する支持架台と、前記パネル部の側壁外周に、該側壁外周から巻き外し可能に巻回される電熱線と、前記電熱線に給電して加熱する加熱用電源と、前記パネル部の側壁外周に巻き付けられた前記電熱線の前記側壁の各辺に対向する部位を前記電熱線への給電時に前記側壁に密着させる方向に力を付与する磁界発生手段とを備えることを特徴とする。
【発明の効果】
【０００８】
本発明のＣＲＴ分割装置においては、保持体を駆動手段によりパネル部の側壁に対し接近する方向に移動して電熱線をパネル部の側壁に接触させ、この状態で、電熱線に給電して加熱するとともに磁界発生手段が発生する磁束により電熱線をパネル部の側壁に密着させる。これにより、パネル部の側壁に対する電熱線の密着性を確実かつ均等化できるとともに、パネル部の側壁をムラなく効率的に加熱することができる。
【０００９】
また、本発明のＣＲＴ分割装置においては、パネル部の側壁外周に巻回した電熱線に給電して加熱するとともに磁界発生手段が発生する磁束により電熱線をパネル部の側壁に密着させる。これにより、パネル部の側壁に対する電熱線の密着性を確実かつ均等化できるとともに、パネル部の側壁をムラなく効率的に加熱することができる。
【発明を実施するための最良の形態】
【００１０】
本発明を実施するための最良の形態にかかるＣＲＴ分割装置は、電熱線及び前記磁界発生手段とこれらを保持する保持体が、パネル部の平板部の各辺の側壁に対向して４つ設けられ、この各辺の側壁に各電熱線を接触させ、この状態で、各電熱線に給電して加熱するとともに各磁界発生手段が発生する磁束を対応するそれぞれの電熱線に作用させることにより、各電熱線を対応するパネル部の側壁に密着させる。これにより、パネル部の側壁に対する電熱線の密着性を確実かつ均等化し、パネル部の側壁をムラなく効率的に加熱できる。
【実施例１】
【００１１】
図１は本発明にかかるＣＲＴ分割装置の実施例１を示す全体の斜視図、図２は図１を上面側から見た平面図、図３は本実施例１のＣＲＴ分割装置における電磁石の斜視図、図４は本実施例１における電磁石と電熱線との関係を示す説明図である。
【００１２】
図１及び図２において、ＣＲＴ分割装置１０は、ＣＲＴ８の支持架台１１と、ＣＲＴ８の側壁を加熱する４本の電熱線１２ａ〜１２ｄと、この各電熱線１２ａ〜１２ｄを別々に保持する４つの保持体１３ａ〜１３ｄと、電熱線１２ａ〜１２ｄに対応する数の電磁石１４ａ〜１４ｄと、保持体１３ａと１３ｂを移動する駆動機構１５及び保持体１３ｃと１３ｄを移動する駆動機構１６とを備えている。
【００１３】
前記ＣＲＴ８は、図１及び図２に示すように、透明なガラス材からなるパネル部８１と鉛混入のガラス材からなるファンネル部８２から構成されている。また、パネル部８１は矩形状の平板部８１ａと、この平板部８１ａの４つの辺から起立する側壁８１ｂとを有しており、このパネル部８１とファンネル部８２は側壁８１ｂを介して一体に接合される構造になっている。また、パネル部８１とファンネル部８２との分割個所は、パネル部８１とファンネル部８２との接合部分から外れたパネル部８１の側壁８１ｂの個所である。
【００１４】
前記支持架台１１は、図１及び図２に示すように、四角形状の四方が側壁１１１で取り囲まれ、かつ上面が開放された枠体構造を呈しており、この支持架台１１の中央部分にはＣＲＴ８が、そのパネル部８１を下側にして水平に載置される構成になっている。
また、前記各電熱線１２ａ〜１２ｄは、図１及び図２に示すように、平板部８１ａの４つの辺と平行する方向に延在して、この各辺に対応する側壁８１ｂと相対向するように配置されている。
【００１５】
また、前記各保持体１３ａ〜１３ｄは、図１及び図２に示すように、それぞれの電熱線１２ａ〜１２ｄが平板部８１ａの辺と平行する方向に緊張されるように、それぞれの電熱線１２ａ〜１２ｄの両端を保持するためのもので、この各保持体１３ａ〜１３ｄは、対応する平板部８１ａの辺と平行な方向に延在して配置されている。
これら保持体１３ａ〜１３ｄのうち相対向する保持体１３ａと１３ｂの両端は、支持架台１１内に水平に設けた一対のガイドレール１７ａ及び１７ｂ上に互いに離間及び接近する方向に移動可能に載置されている。また、相対向する保持体１３ｃと１３ｄの両端は、支持架台１１内に前記ガイドレール１７ａ、１７ｂと直角になるように水平に設けた一対のガイドレール１７ｃ及び１７ｄ上に互いに離間及び接近する方向に移動可能に載置されている。
【００１６】
また、図１及び図２に示すように、各電熱線１２ａ〜１２ｄの両端とこの電熱線１２ａ〜１２ｄに対応するそれぞれの保持体１３ａ〜１３ｄとの間にはそれぞれ弾性部材１８ａ〜１８ｄが介在され、この弾性部材１８ａ〜１８ｄの弾性力により、各電熱線１２ａ〜１２ｄに所定張力の緊張状態が付与されるようになっている。
また、図２に示すように、電熱線１２ａと１２ｂ、及び電熱線１２ｃと１２ｄは互いに直列に接続され、電熱線１２ａと１２ｂの直列回路、及び電熱線１２ｃと１２ｄの直列回路には加熱用電源１９から直流電力が供給できるように構成されている。
【００１７】
前記電磁石１４ａ〜１４ｄは、電熱線１２ａ〜１２ｄが加熱用電源１９から供給される電力により加熱されている時にこれら電熱線１２ａ〜１２ｄを対応するパネル部８１の側壁８１ｂに密着させる方向に力を付与するためのもので、図１及び図２に示すように、電磁石１４ａ及び１４ｂは保持体１３ａ及び１３ｂ上に支持部材１３ａ１、１３ｂ１によって電熱線１２ａ及び１２ｂと平行する方向に支持され、また、電磁石１４ｃ及び１４ｄは保持体１３ｃ及び１３ｄ上に支持部材１３ｃ１、１３ｄ１によって電熱線１２ｃ及び１２ｄと平行する方向に支持されている。
前記電磁石１４ａ〜１４ｄは、図３及び図４に代表して示す電磁石１４ａのように、電熱線１２ａに対して上下から平行に対峙するように配置された一対の磁極（Ｎ、Ｓ極）１４１，１４２と、この磁極１４１と１４２との間に電熱線１２ａと直交する方向の磁束１４３を発生させる励磁コイル１４４とから構成されている。励磁コイル１４４には図４に示すように励磁用電源２０から直流電力が供給されるように構成されている。
【００１８】
前記駆動機構１５は、保持体１３ａと１３ｂ同士をガイドレール１７ａ及び１７ｂに沿って互いに接近及び離間する方向に移動させるもので、図２に示すように、保持体１３ａを移動するエアーシリンダ１５１と、保持体１３ｂを移動するエアーシリンダ１５２とから構成されている。また、前記駆動機構１６は、保持体１３ｃと１３ｄ同士をガイドレール１７ｃ及び１７ｄに沿って互いに接近及び離間する方向に移動させるもので、図２に示すように、保持体１３ｃを移動するエアーシリンダ１６１と、保持体１３ｄを移動するエアーシリンダ１６２とから構成されている。なお、支持架台１１および各保持体１３ａ〜１３ｄから下方に脚片が垂設され、エアーシリンダ１５１、１５２、１６１、１６２はこれらの脚片を介して配設されている。
【００１９】
次に、ＣＲＴ８をパネル部８１とファンネル部８２とに分割する場合の動作について説明する。
まず、電子銃や回路基板及び防爆バンド等を除去した後のＣＲＴ８を図１及び図２に示すように支持架台１１の中央部にパネル部８１が下側になるようにして水平に載置する。次いで、駆動機構１５及び１６を動作させることにより、保持体１３ａと１３ｂ同士及び保持体１３ｃと１３ｄ同士を互いに接近する方向に移動させる。そして、各保持体１３ａ〜１３ｄに緊張状態に保持されている電熱線１２ａ〜１２ｄを対応するパネル部８１の側壁８１ｂに接触させ、この接触時点で駆動機構１５及び１６を停止させ、各保持体１３ａ〜１３ｄの移動を停止する。
【００２０】
次に、電熱線１２ａ〜１２ｄに加熱用電源１９から直流電力を供給することにより、この電熱線１２ａ〜１２ｄが接触しているパネル部８１の側壁８１ｂの接触個所を加熱する。これと同時に、電磁石１４ａ〜１４ｄの各励磁コイル１４４に励磁用電源２０から直流電力を供給して励磁することにより、これら電磁石１４ａ〜１４ｄにそれぞれの電熱線１２ａ〜１２ｄと直交する方向の磁束を発生させる。その結果、各電熱線１２ａ〜１２ｄにはフレミングの左手の法則に従い図４に示す矢印方向の力Ｆが発生する。これにより、これら電熱線１２ａ〜１２ｄは対応するパネル部８１の側壁８１ｂに密着する。
【００２１】
このように各電熱線１２ａ〜１２ｄをパネル部８１の側壁８１ｂに密着させた状態で、パネル部８１の側壁８１ｂを電熱線１２ａ〜１２ｄで２０〜６０秒程度加熱して、パネル部８１の側壁８１ｂに電熱線１２ａ〜１２ｄに沿い熱ひずみを与える。その後、電熱線１２ａ〜１２ｄ及び電磁石１４ａ〜１４ｄへの電力供給を停止する。しかる後、駆動機構１５及び１６を動作して、保持体１３ａと１３ｂ同士及び保持体１３ｃと１３ｄ同士を互いに離間する方向に移動させ、待機位置に戻す。これにより、各電熱線１２ａ〜１２ｄをパネル部８１の側壁８１ｂから離間させる。その後、電熱線１２ａ〜１２ｄで加熱されたパネル部８１の側壁８１ｂに、その加熱温度（例えば１００℃程度）より十分に低い外気温度程度のエアーを吹き付けることにより熱衝撃を加え、これにより、パネル部８１とファンネル部８２に分割する。
【００２２】
このような本実施例のＣＲＴ分割装置によれば、駆動機構１５及び１６により、保持体１３ａと１３ｂ同士及び保持体１３ｃと１３ｄ同士を互いに接近する方向に移動させて、各電熱線１２ａ〜１２ｄを対応するパネル部８１の側壁８１ｂに接触させるとともに、電熱線１２ａ〜１２ｄへの加熱通電時に電磁石１４ａ〜１４ｄにより、各電熱線１２ａ〜１２ｄを対応するパネル部８１の側壁８１ｂに密着させるようにしたので、フラット画面型ＣＲＴのようにパネル部の側壁が平面形状のものであっても、また円弧面形状のものであっても、これに関係なくＣＲＴ８におけるパネル部８１の側壁８１ｂに対する電熱線２ａ〜１２ｄの密着性を確実かつ均等化できるとともに、パネル部８１の側壁８１ｂをムラなく効率的に加熱することができる。これにより、ＣＲＴ８をパネル部８１とファンネル部８２に正確にかつ迅速に分割することができる。
また、本実施例によれば、電磁石１４ａ〜１４ｄの磁束を利用したフレミングの左手の法則に従い電熱線１２ａ〜１２ｄをパネル部８１の側壁８１ｂに密着させることができるため、電熱線１２ａ〜１２ｄの温度を部分的に低下させるような抑え手段が不要であるとともに耐熱材料や絶縁材料が不要になり、ＣＲＴ分割装置のメンテナンスが容易になるという効果がある。
【実施例２】
【００２３】
次に、図５により本発明にかかるＣＲＴ分割装置の実施例２について説明する。
図５は本発明にかかるＣＲＴ分割装置の実施例２を示す平面図である。なお、以下の実施例において、実施例１と同一の構成要素には同一符号を付してその構成説明を省略し、実施例１と異なる部分を重点に述べる。
図５から明らかなように、図１及び図２と異なる点は、１つの電熱線１２ａと、１つの保持体１３ａと、１つの電磁石１４ａとを用いてパネル部８１の４つの側壁８１ｂ１〜８１ｂ４を４工程で加熱し、ＣＲＴ８をパネル部８１とファンネル部８２に分割するようにしたところにある。
【００２４】
このために本実施例２においては、パネル部８１の平板部８１ａの１つの辺と平行する方向に延在して配置される１つの電熱線１２ａと、この電熱線１２ａが平板部８１ａの１つの辺と平行する方向に緊張されるように電熱線１２ａの両端を弾性部材１８ａを介して保持する１つの保持体１３ａと、電熱線１２ａがパネル部８１の側壁８１ｂに対して離間及び接触する方向に保持体１３ａを移動するエアーシリンダ１５１と、電熱線１２ａと相対向するようにして保持体１３ａに設けられ、電熱線１２ａへの電力供給時に電熱線１２ａを側壁８１ｂに密着させる方向に力を付与する磁界石１４ａとを備え、前記保持体１３ａは支持架台１１内に水平に設けた一対のガイドレール１７ａ及び１７ｂ上にパネル部８１の側壁８１ｂと離間及び接近する方向に移動可能に載置されている。
また、ＣＲＴ８は、支持架台１１の中央部分に設けたターンテーブル１１２上にパネル部８１を下側にして水平に載置される構成になっている。
なお、支持架台１１および保持体１３ａから下方に脚片が垂設され、エアーシリンダ１５１はこれらの脚片を介してターンテーブル１１２の下方に配設されている。
また、電熱線１２ａには図示省略した加熱用電源から電力が供給させるようになっているとともに、磁界石１４ａにも図示省略した励磁用電源から電力が供給させるようになっている。
【００２５】
このように構成されたＣＲＴ分割装置を用いてＣＲＴ８をパネル部８１とファンネル部８２に分割する場合は、まず、電子銃や回路基板及び防爆バンド等を除去した後のＣＲＴ８を図５に示すようにターンテーブル１１２上にパネル部８１を下側にして載置する。次いで、エアーシリンダ１５１を動作させて保持体１３ａをパネル部８１の側壁８１ｂのうちの１つ、例えば側壁８１ｂ１と接近する方向に移動させる。そして、各保持体１３ａに緊張状態に保持されている電熱線１２ａを対応するパネル部８１の側壁８１ｂ１に接触させ、この接触時点でエアーシリンダ１５１を停止する。
次に、電熱線１２ａに加熱用電源から直流電力を供給することにより、この電熱線１２ａが接触しているパネル部８１の側壁８１ｂ１の接触個所を加熱する。これと同時に、電磁石１４ａから発生する磁束を電熱線１２ａと直交する方向に作用させることにより、電熱線１２ａをパネル部８１の側壁８１ｂ１に密着させる。この状態でパネル部８１の１つの側壁８１ｂ１を所定時間（２０〜６０秒程度）加熱し、その側壁８１ｂ１に電熱線１２ａに沿う熱ひずみを与える。その後、電熱線１２ａ及び電磁石１４ａへの給電を停止するとともに、保持体１３ａを待機位置に戻す。
【００２６】
次に、ターンテーブル１１２を時計回り方向に９０度回転して、パネル部８１の未加熱の側壁８１ｂ２を電熱線１２ａの配設位置に対向させる。その後は、上記と同様にエアーシリンダ１５１を動作させて保持体１３ａをパネル部８１の側壁８１ｂ２に接近する方向に移動させて、電熱線１２ａをパネル部８１の側壁８１ｂ２に接触させる。この状態で電熱線１２ａに通電して側壁８１ｂ２の接触個所を加熱すると同時に、電磁石１４ａから発生する磁束を電熱線１２ａと直交する方向に作用させることで、電熱線１２ａをパネル部８１の側壁８１ｂ２に密着させ、この側壁８１ｂ２を所定時間（２０〜６０秒程度）加熱し、その側壁８１ｂ２に電熱線１２ａに沿う熱ひずみを与える。
以下、パネル部８１の側壁８１ｂ３及び８１ｂ４に対しても、上記と同様な動作を繰り返して実行させることにより、これらの側壁８１ｂ３及び８１ｂ４にも熱ひずみを与えることができる。
パネル部８１の側壁８１ｂ３〜８１ｂ４に対する加熱処理が終了したならば、その加熱温度（例えば１００℃程度）より十分に低い外気温度程度のエアーを吹き付けて熱衝撃を加えることにより、ＣＲＴ８をパネル部８１とファンネル部８２に分割する。
【００２７】
このような実施例２によれば、４工程を要するため実施例１に比べ作業時間が掛かる点で不利があるものの、１組の電熱線１２ａと保持体１３ａと電磁石１４ａ及びエアーシリンダ１５１を用いてＣＲＴ８を分割することができるので、ＣＲＴ分割装置の部品点数の削減化、コストダウンを図る上で有利となっている。
【実施例３】
【００２８】
次に、図６により本発明にかかるＣＲＴ分割装置の実施例３について説明する。
図６は本発明にかかるＣＲＴ分割装置の実施例３を示す平面図である。
図６から明らかなように、実施例１と異なる点は、一対の電熱線１２ａ及び１２ｂと、一対の保持体１３ａ及び１３ｂと、一対の電磁石１４ａ及び１４ｂとを用いてパネル部８１の４つの側壁８１ｂ１〜８１ｂ４を２工程で加熱し、ＣＲＴ８をパネル部８１とファンネル部８２に分割するようにしたところにある。
【００２９】
このために本実施例３においては、パネル部８１の平板部８１ａの相対向する一方の各辺と平行する方向に延在して配置される一対の電熱線１２ａ及び１２ｂと、この電熱線１２ａ及び１２ｂが平板部８１ａの各辺と平行する方向に緊張されるように電熱線１２ａ及び１２ｂの両端を弾性部材１８ａ、１８ｂを介して保持する一対の保持体１３ａ及び１３ｂと、電熱線１２ａ及び１２ｂがパネル部８１の側壁８１ｂに対して離間及び接触する方向に保持体１３ａ及び１３ｂを移動するエアーシリンダ１５１及び１５２と、電熱線１２ａ及び１２ｂと相対向するようにして保持体１３ａ及び１３ｂに設けられ電熱線１２ａ及び１２ｂへの電力供給時に電熱線１２ａ及び１２ｂを側壁８１ｂに密着させる方向に力を付与する磁界石１４ａ及び１４ｂとを備え、前記保持体１３ａ及び１３ｂは支持架台１１内に水平に設けた一対のガイドレール１７ａ及び１７ｂ上にパネル部８１の側壁８１ｂと離間及び接近する方向に移動可能に載置されている。
また、ＣＲＴ８は、支持架台１１の中央部分に設けたターンテーブル１１２上にパネル部８１を下側にして水平に載置される構成になっている。
なお、支持架台１１および各保持体１３ａ、１３ｂから下方に脚片が垂設され、エアーシリンダ１５１、１５２はこれらの脚片を介してターンテーブル１１２の下方に配設されている。
また、電熱線１２ａ及び１２ｂには図示省略した加熱用電源から電力が供給させるようになっているとともに、磁界石１４ａ及び１４ｂにも図示省略した励磁用電源から電力が供給させるようになっている。
【００３０】
このように構成されたＣＲＴ分割装置を用いてＣＲＴ８をパネル部８１とファンネル部８２に分割する場合は、まず、電子銃や回路基板及び防爆バンド等を除去した後のＣＲＴ８を図５に示すようにターンテーブル１１２上にパネル部８１を下側にして載置する。次いで、エアーシリンダ１５１及び１５２を動作させて保持体１３ａ及び１３ｂをパネル部８１の側壁８１ｂ１と８１ｂ３に対して接近する方向に移動させる。そして、各保持体１３ａ及び１３ｂに緊張状態に保持されている電熱線１２ａ及び１２ｂを対応するパネル部８１の側壁８１ｂ１及び８１ｂ３に接触させ、この接触時点でエアーシリンダ１５１及び１５２を停止する。
次に、電熱線１２ａ及び１２ｂに加熱用電源から直流電力を供給することにより、この電熱線１２ａ及び１２ｂが接触しているパネル部８１の側壁８１ｂ１及び８１ｂ３の接触個所を加熱する。これと同時に、電磁石１４ａ及び１４ｂから発生する磁束を電熱線１２ａ及び１２ｂと直交する方向に作用させることにより、電熱線１２ａ及び１２ｂをパネル部８１の側壁８１ｂ１及び８１ｂ３に密着させる。この状態でパネル部８１の１つの側壁８１ｂ１及び８１ｂ３を所定時間（２０〜６０秒程度）加熱し、その側壁８１ｂ１及び８１ｂ３に電熱線に沿う熱ひずみを与える。その後、電熱線１２ａ，１２ｂ及び電磁石１４ａ，１４ｂへの給電を停止するとともに、保持体１３ａ及び１３ｂを待機位置に戻す。
【００３１】
次に、ターンテーブル１１２を時計回り方向に９０度回転して、パネル部８１の未加熱の側壁８１ｂ２と８１ｂ４を電熱線１２ａ及び１２ｂの配設位置に対向させる。その後、上記と同様にエアーシリンダ１５１及び１５２を動作させて保持体１３ａ及び１３ｂをパネル部８１の側壁８１ｂ２及び８１ｂ４に接近する方向に移動させて、電熱線１２ａ及び１２ｂをパネル部８１の側壁８１ｂ２及び８１ｂ４に接触させる。この状態で電熱線１２ａ及び１２ｂに通電して側壁８１ｂ２及び８１ｂ４を加熱すると同時に、電磁石１４ａ及び１４ｂから発生するそれぞれの磁束を電熱線１２ａ及び１２ｂと直交する方向に作用させることで、電熱線１２ａ及び１２ｂをパネル部８１の側壁８１ｂ２及び８１ｂ４に密着させ、この側壁８１ｂ２及び８１ｂ４を所定時間（２０〜６０秒程度）加熱し、その側壁８１ｂ２及び８１ｂ４に電熱線に沿う熱ひずみを与える。
パネル部８１の側壁８１ｂ３〜８１ｂ４に対する加熱処理が終了したならば、その加熱温度（例えば１００℃程度）より十分に低い外気温度程度のエアーを吹き付けて熱衝撃を加えることにより、ＣＲＴ８をパネル部８１とファンネル部８２に分割する。
【００３２】
このような実施例３によれば、２工程を要するため実施例１に比べ作業時間が掛かる点で不利があるものの、２組の電熱線１２ａ，１２ｂと保持体１３ａ，１３ｂと電磁石１４ａ，１４ｂ及びエアーシリンダ１５１，１５２を用いてＣＲＴ８を分割することができるので、ＣＲＴ分割装置の部品点数の削減化、コストダウンを図る上で有利となっている。
【実施例４】
【００３３】
次に、図７により本発明にかかるＣＲＴ分割装置の実施例４について説明する。
図７は本発明にかかるＣＲＴ分割装置の実施例４を示す平面図である。
図７から明らかなように、実施例１と異なる点は、１本の電熱線１２と、４つの電磁石１４ａ〜１４ｄと、これら電磁石１４ａ〜１４ｄを保持する保持体１３とを用いてパネル部８１の４つの側壁８１ｂ１〜８１ｂ４を１工程で加熱し、ＣＲＴ８をパネル部８１とファンネル部８２に分割するようにしたところにある。
【００３４】
このために本実施例４においては、パネル部８１の側壁８１ｂ１〜８１ｂ４の外周に、この側壁外周から巻き外し可能に巻回される１本の電熱線１２と、パネル部８１の側壁外周に巻き付けられた電熱線１２の側壁８１ｂ１〜８１ｂ４の各辺に対向する部位を電熱線１２への電力供給時に側壁８１ｂ１〜８１ｂ４に密着させる方向に力を付与する４つの電磁石１４ａ〜１４ｄとを備えている。また、パネル部８１の側壁８１ｂ１〜８１ｂ４に巻回された電熱線１２の両端は弾性部材１８、支持部１３１０を介して支持架台１１に、あるいは保持体１３に緊張状態に連結されており、そして、この電熱線１２には図示省略した加熱用電源から電力が供給させるようになっている。
また、ＣＲＴ８は、支持架台１１の中央部分に設けた保持体１３上にパネル部８１を下側にして水平に載置される構成になっている。
なお、磁界石１４ａ〜１４ｄには図示省略した励磁用電源から電力が供給させるようになっている。また、保持体１３上の各電磁石１４ａ〜１４ｄはパネル部８１の側壁８１ｂ１〜８１ｂ４に対して接近及び離間する方向に位置調整できるように構成されていることが望ましい。
【００３５】
このように構成されたＣＲＴ分割装置を用いてＣＲＴ８をパネル部８１とファンネル部８２に分割する場合は、まず、電子銃や回路基板及び防爆バンド等を除去した後のＣＲＴ８を図５に示すように保持体１３上にパネル部８１を下側にして載置する。
次に、電熱線１２をパネル部８１の側壁８１ｂ１〜８１ｂ４の外周に巻回して、加熱用電源から直流電力を供給し、これにより、電熱線１２が接触しているパネル部８１の側壁８１ｂ１〜８１ｂ４の接触個所を同時に加熱する。これと同時に、電磁石１４ａ〜１４ｄから発生する磁束を側壁８１ｂ１〜８１ｂ４と対向する電熱線１２の部位と直交する方向に作用させることにより、この電熱線１２の各部位をパネル部８１の側壁８１ｂ１〜８１ｂ４に密着させる。この状態でパネル部８１の１つの側壁８１ｂ１〜８１ｂ４を所定時間（２０〜６０秒程度）加熱し、その側壁８１ｂ１〜８１ｂ４に電熱線１２に沿う熱ひずみを与える。その後、電熱線１２及び電磁石１４ａ〜１４ｄへの給電を停止する。
パネル部８１の側壁８１ｂ３〜８１ｂ４に対する加熱処理が終了したならば、その加熱温度（例えば１００℃程度）より十分に低い外気温度程度のエアーを吹き付けて熱衝撃を加えることにより、ＣＲＴ８をパネル部８１とファンネル部８２に分割する。
【００３６】
このような実施例４によれば、上記実施例１と同様な効果が得られるほか、１本の電熱線１２と電磁石１４ａ〜１４ｄを用いてＣＲＴ８をパネル部８１とファンネル部８２に分割することができるので、ＣＲＴ分割装置の部品点数の削減化、コストダウンを図る上で有利となっている。
【００３７】
なお、上記の実施例では、電熱線への電力供給時に電熱線をパネル部８１の側壁に密着させる方向に力を付与する磁界発生手段に電磁石を用いた場合について説明したが、本発明はこれに限らず、永久磁石を用いても同様な機能を発揮させることができる。
また、本発明においては、電熱線に供給する電力は直流に限らず、交流電力であってもよい。
また、駆動機構１５、１６としてはエアーシリンダを用いた場合について説明したが、駆動機構１５、１６として従来公知のリンク機構などを用いてもよく、したがって、その構造は任意であり、また、駆動機構１５、１６の配設個所も、配置したＣＲＴの下方ではなくＣＲＴの側方であってもよく、したがって、その配設個所も任意である。
【図面の簡単な説明】
【００３８】
【図１】実施例１のＣＲＴ分割装置の斜視図である。
【図２】実施例１のＣＲＴ分割装置の平面図である。
【図３】実施例１のＣＲＴ分割装置における電磁石の斜視図である。
【図４】実施例１における電磁石と電熱線との関係を示す説明図である。
【図５】実施例２のＣＲＴ分割装置の平面図である。
【図６】実施例３のＣＲＴ分割装置の平面図である。
【図７】実施例４のＣＲＴ分割装置の平面図である。
【符号の説明】
【００３９】
８……ＣＲＴ、８１……パネル部、８２……ファンネル部、８１ａ……平板部、８１ｂ……側壁、１０……ＣＲＴ分割装置、１１……支持架台、１２ａ〜１２ｄ……電熱線、１３ａ〜１３ｄ……保持体、１４ａ〜１４ｄ……電磁石、１５，１６……駆動機構、１８ａ〜１８ｄ……弾性部材、１９……加熱用電源、２０……励磁用電源。
【図１】
2005183111.tif 000003
【図２】
2005183111.tif 000004
【図３】
2005183111.tif 000005
【図４】
2005183111.tif 000006
【図５】
2005183111.tif 000007
【図６】
2005183111.tif 000008
【図７】
2005183111.tif 000009